(57)【要約】【目的】パチンコ店等で、煙草の吸殻を回収する装置の、搬送レールがスリ減って交換する場合、スリ減った部分だけを交換できるようにすること。【構成】搬送レール４は、水平箇所を天板３の取り付け部２２とし、垂下壁箇所２３には、チェーン１３が摺動するチェーンガイド部２４を取り外し可能に取り付ける。【選択図】図５
2004033715.tif 000002
【特許請求の範囲】
【請求項１】
パチンコ島の天板上に設置した灰皿と、この灰皿の下方に設けた搬送レールと、搬送レール内部を移動する移送部材を装着したチェーンで構成され、灰皿と搬送レールを連通した挿通穴を介して搬送レール内に落下した吸殻を、パチンコ島の端方向に設けた回収タンクに搬送する煙草の吸殻回収装置の搬送レールに於いて、チェーンが摺動するチェーンガイド部を別部材として搬送レール本体に着脱可能に取り付けることを特徴とする、煙草の吸殻回収装置の搬送レール。
【請求項２】
チェーンガイド部を搬送レール本体に取り付けるにあたり、搬送レール本体の収容凹部にチェーンガイド部を嵌入して位置ぎめをして着脱可能に取り付けることを特徴とする請求項１に記載の煙草の吸殻回収装置の搬送レール。
【請求項３】
チェーンガイド部を搬送レール本体に取り付けるにあたり、搬送レール本体の内面に凸部を、他方、チェーンガイド部背面には凹部を設けて、相互を嵌合して着脱可能に取り付けることを特徴とする請求項１に記載の煙草の吸殻回収装置の搬送レール。
【請求項４】
チェーンガイド部を搬送レール本体に取り付けるにあたり、搬送レール本体の内部下面に凹部を、他方、チェーンガイド部の下部外側面には凸部を形成し、チェーンガイド部を搬送レール本体の内部上下面間に水平に挿入し且つ、落下して凸凹部を嵌合させ、チェーンガイド部の上部外側面の落下間隙にスペーサーを係止して着脱可能に取り付けることを特徴とする請求項１乃至請求項２に記載の煙草の吸殻回収装置の搬送レール。
【請求項５】
パチンコ島の天板上に設置した灰皿と、この灰皿の下方に設けた搬送レールと、搬送レール内を移動する移送部材を装着したチェーンで構成され、灰皿と搬送レールを連通した挿通穴を介して搬送レール内に落下した吸殻を、パチンコ島の端方向に設けた回収タンクに搬送する煙草の吸殻回収装置の搬送レールに於いて、搬送レールは水平箇所を天板の取り付け部とし、垂下壁箇所にはチェーンを装着する断面逆Ｌ形の搬送レール本体と、搬送レール本体に着脱可能として設けられ、底内面には移送部材が臨む断面Ｌ形のカバー部とで筒状を構成し、このカバー部を取り外すことで搬送レール本体に装着したチェーンと移送部材が露出するようにしたことを特徴とする、煙草の吸殻回収装置の搬送レール。
【請求項６】
パチンコ島の天板上に設置した灰皿と、この灰皿の下方に設けた搬送レールと、搬送レール内部を移動する移送部材を装着したチェーンで構成され、灰皿と搬送レールを連通した挿通穴を介して搬送レール内に落下した吸殻を、パチンコ島の端方向へ設けた回収タンクに搬送する煙草の吸殻回収装置の搬送レールに於いて、搬送レールは水平箇所を天板の取り付け部とし、垂下壁箇所にはチェーンを装着するチェーンガイド部を別部材として取り付ける断面逆Ｌ形の搬送レール本体と、搬送レール本体に着脱自在に設けられ、底内面には移送部材が臨む断面Ｌ形のカバー部とで筒状を構成し、このカバー部を取り外すことでチェーンガイド部の取り付けが容易に行えるようにしたことを特徴とする、煙草の吸殻回収装置の搬送レール。
【請求項７】
カバー部は断面Ｌ形の底面の端方向に設成した係止部を、搬送レール本体の断面逆Ｌ形の下部に設けた受け部に挿入して筒状を構成し、係止部を支点として開閉自在としたことを特徴とする、請求項５乃至請求項６に記載の煙草の吸殻回収装置の搬送レール。
【請求項８】
チェーンガイド部を搬送レール本体に取り付けるにあたり、搬送ールの隣接箇所を懸架するようにして取り付けて、該チェーンガイド部が搬送レールの連結ジョイントを兼ねることを特徴とする、請求項１、請求項２、請求項３、請求項４に記載の煙草の吸殻回収装置の搬送レール。
【発明の詳細な説明】
【０００１】
【発明の属する技術分野】
この考案はパチンコ店等に於ける煙草の吸殻回収装置の搬送レールに関する。
【０００２】
【従来の技術】
煙草の吸殻回収装置の搬送レールは、パチンコ店等のパチンコ島の、玉箱を置くための天板の下に取り付けられている。搬送レールには吸殻を運ぶ移送体を備えたチェーンが装着されて、天板上に設置した灰皿より搬送レール内に投入した煙草の吸殻を島の端の回収タンクに集めるようにしている。
【０００３】
【発明が解決しようとする課題】
解決しようとする問題点は（１）搬送レールはアルミ製であるので、使用経過によつてチェーン摺動箇所が磨り減って、最終的には切断されてしまい交換が必要となるが、この搬送レールは天板にビス等で取り付けられているので、交換が大変であった。
【０００４】
（２）搬送レールは、垂直壁箇所にチェーンを装着する断面コ形のレール本体と、この前面を閉鎖して筒状とするカバー部とで構成していたが、チェーンの着脱や内部のメンテナンスにあたっては、カバー部を完全に外さなければならず、またカバー部を外しても搬送レール本体の下方水平部が邪魔で作業性が悪く、更に、この水平部には吸殻が常時落下して運ばれるのでヤニと灰、更には、いたずらによるジュース類等の汚れが付着して悪臭が発生し、簡単に外せないので掃除が面倒であった。
【０００５】
【課題を解決するための手段】
本発明は、（１）搬送レールのチェーン対応箇所に、チェーンガイド部を別部材として着脱可能に取り付けて、チェーンの摺動によって磨り減った場合、チェーンガイド部のみを交換できるようにした。
【０００６】
（２）搬送レールを、断面逆Ｌ形の搬送レール本体と、断面Ｌ形のカバー部とで構成して、カバー部を着脱自在に搬送レール本体に取り付けるようにした。
【０００７】
（３）カバー部は搬送レール本体にカバー部もしくは、搬送レール本体の後端を支点として開閉自在に取り付けるようにした。
【０００８】
チェーンガイド部を別部材として設けるにあたり、搬送レールの隣接箇所に懸架して取り付けて、連結ジョイントを兼用するようにした。
【０００９】
【発明の実施の形態】
図１で示したパチンコ島１には、パチンコ台２の前方に玉箱等を載置する天板３が設けられている。この考案の吸殻回収装置の搬送レール４は、天板３の下面に設けられ、天板３上の灰皿５と搬送レール４の端部に設けた回収タンク６とで吸殻回収装置７を構成している。
【００１０】
灰皿５は、図２で示したように、底部に吸殻Ｂの落下穴８を有して、天板３に穿った穴９に取り付けられている。搬送レール４は断面を筒状として、天板３の下面にビス１０で止着され、天板３の穴と略同一箇所に設けた連通穴１１で、灰皿５より落下した吸殻Ｂは搬送レール４内に収容される。
【００１１】
１２は、チェーン１３とチェーンの支持軸１４、１４及びチェーン１３の前方に装着した移送部材１５とで構成したチェーンコンベアーを示している。チェーンコンベアー１２は、一方の支持軸１４に連結したモーター１６の駆動で吸殻Ｂを回収タンク６に落下収容する。
【００１２】
図３は従来の搬送レール４の断面を示し、上部を天板３の取り付け部１７とし、下部を吸殻の受け部１８とし、垂直壁箇所にはチェーン１３を装着するチェーンガイド部１９を設けて断面コ形をしている。チェーンガイド部１９には、チェーン１３を摺動案内する凹部２０，２０が設けられている。
【００１３】
２１は搬送レール４の前側に着脱自在に取り付けたカバー部であり、搬送レール４及びチェーン１３の取り付けや、メンテナンスの時に外して作業が行えるようにしている。この搬送レール４は加工の簡便さよりアルミを材料としているので、凹部２０，２０のチェーンの摺動箇所は次第に磨り減り、取替えを余儀なくされる。
【００１４】
図４は、この発明の搬送レール４を示し、水平箇所を天板３の取り付け部２２とし、垂下壁箇所にはチェーンガイド部１９を設けた断面逆Ｌ形の搬送レール本体２６と、この前側に着脱自在に設けられる断面Ｌ形のカバー部２７とで、全体で断面筒形のの搬送路を構成している。図５、図６は、搬送レール４を示し、水平箇所を天板３の取り付け部２２とし、垂下壁箇所２３には後述のチェーンガイド部２４を収容する、収容部２５を設けた断面逆Ｌ形の搬送レール本体２６と、この前側に着脱自在に設けられる断面Ｌ形のカバー部２７とで、全体で断面筒形の搬送路を構成している。
【００１５】
チェーンガイド部２４は、チェーンガイド部２４相互の連結時にバー２８を差し込んで連結する連結溝部２９の上下に、チェーン１３を摺動案内する凹部３０、３０が設けられている。チェーン１３は、凹部３０、３０の夫々の内面に設けた凸条３１、３１によって移動案内される。チェーンガイド部２４は、上下外側面３２、３２と、搬送レール本体２６の収容部２５の上下内側面３３、３３を基準として位置決めをして収容部２５に嵌入し、ビス３４で堅固に止着する。
【００１６】
チェーンガイド部２４の着脱はビス３４を外すことで簡単におこなえる。カバー部２７は上端３５と底面３６の係止部３７を、搬送レール本体２６の受け部３８、３９に挿入して、係止部３７と受け部３９の間隙にスペーサー４０を嵌入して固定する。
【００１７】
図７、図８はチェーンガイド部２４の他の取り付け態様を示している。チェーンガイド部２４を取り付けるにあたり、この背面に設けた凹部４１の上下内側面４２、４２と、搬送レール本体２６に設けた凸部５９の上下外側面４３、４３を基準として位置決めをして嵌合し、ビス４４を止着して堅固に固定する。
【００１８】
図９、図１０はチェーンガイド部２４の他の取り付け態様を示している。チェーンガイド部２４を取り付けるにあたり、凹部２０、２０の下方外側面４５、４５に設けた凸条４６、４６を、搬送レール本体２６の上記の下方外側面４５、４５の対応面４７、４７に設けた溝部４８、４８に嵌合させ、チェーンガイド部２４と搬送レール本体２６の間隙４９にスペーサー５０を嵌入して堅固に固定する。
【００１９】
この場合、チェーンガイド部２４の取り付けにあたり、ビスを必要としないので取り外しが一層簡単である。
【００２０】
図１１、図１２はカバー部２７の他の取り付け態様を示している。カバー部２７を取り付けるにあたり、鉤形に形成した係止部５１を搬送レール本体２６の下部に設けた受け部５２に挿入して、受け部５２内の下方に延長した支点部５３を支点として、カバー部２７が図１２で示したように下方へ開いた状態で落下せずに掛かり止されるようにしている。
【００２１】
５４は、カバー部２７の取り付け状態に於いて、掛止部５１の外側面と受け部５２の間隙に嵌入して堅固に固定するスペーサーを示している。
【００２２】
図１３、図１４はカバー部２７の他の取り付け態様を示している。カバー部２７を取り付けるにあたり、鉤形に形成した係止部５５を、搬送レール本体２６の下部後方に設けた受け部５６に挿入して、受け部５６内の上方に延長した支点部５７を支点として、カバー部２７が図１４で示したように下方へ開いた状態で落下せずに掛止されるようにしている。
【００２３】
スペーサー５４は係止部５５の外側面と受け部５６の間隙に挿入して、堅固に固定する。
【００２４】
図１５はチェーンガイド部２４を搬送レール本体２６に取り付けるにあたり、連続して設けられる搬送レール本体２６、２６の隣接箇所５８に懸架して取り付けて、このチェーンガイド部２４が搬送レール本体２６、２６をズレの無いように連結する連結ジョイントを兼ねるようにしている。
【００２５】
３４はチェーンガイド部２４を固定するビスを示しているが、図１０の実施態様では、ビスを必要としない。
【００２６】
【発明の効果】
この発明は以上の作用および構成であるので下記の効果を有する。
（１）チェーンガイド部２４を別部材として搬送レール本体２６に着脱可能としたので、チェーンの摺動箇所が磨り減っても、チェーンガイド部２４のみを交換するだけで良いので、従来のように、天板３に取り付けてある搬送レール全体を交換するような手間を必要とせず、メンテナンスが簡単となる。
【００２７】
（２）チェーンガイド部２４を搬送レール本体２６、２６の隣接箇所に懸架して取り付けることで、搬送レール本体２６のズレ防止のための連結ジョイントを特に必要としない。
【００２８】
（３）チェーンガイド部２４を搬送レール本体２６に取り付けるにあたり、搬送レール本体２６の内部上下面間３３に嵌合止着して着脱可能に取り付けたので、レールの接合箇所に位置ズレが無く、チェーン１３をスムースに案内することができる。
【００２９】
（４）チェーンガイド部２４を搬送レール本体２６に取り付けるにあたり、凹部４１と搬送レール本体２６の凸部５９を嵌合させて着脱可能に取り付けたので、レールの接合箇所に位置ズレが無く、チェーンをスムースに案内することができる。
【００３０】
（５）チェーンガイド部２４を搬送レール本体２６に取り付けるにあたり、搬送レール本体２６の内部下面の溝部４８と、他方、チェーンガイド部２４の下部外側面の凸条４６を嵌合させ、且つ、相互の間隙４９にスペーサー５０を係止して着脱可能に取り付けたので、ビス等を必要とせず着脱が簡単に行える。
【００３１】
（６）カバー部２７は、内底面に移送部材１５が臨む断面Ｌ形としたので、内低面に煙草のヤニやジュース等が付着してもカバー部２７を外して掃除ができ、また新品と交換することも可能である。また、カバー部２７を取り外すと、チェーン１３の装着箇所が露出するので、取り付け等の作業性が良い。
【００３２】
（７）カバー部２７は、係止部５１、５５が搬送レール本体２６の受け部５２、５６を支点として開閉するようにしたので、カバー部２７を完全に外すことなく、開いた掛止状態で作業ができ、メンテナンスの時間が短縮する。
【００３３】
（８）カバー部２７は、係止部５５が搬送レール本体２６の下部後方に設けた受け部５６を支点として開閉するようにしたので、カバー部２７を完全に外すことなく作業ができ、また、支点箇所はレールの内面を水平に保つ上で、下方に突出する構造になるが、支点箇所を搬送レール本体２６の下部後方としたので、ゲーム者の膝があたって邪魔になることがない。
【００３４】
【図面の簡単な説明】
【図１】パチンコ島の正面図
【図２】吸殻回収装置を正面より見た断面図
【図３】従来の搬送レールを示す、図１のＡ−Ａ断面図
【図４】この考案の搬送レールを示す断面図
【図５】この考案の搬送レールを示す断面図
【図６】図５の分解図
【図７】チェーンガイド部の他の取り付け状態を示す斜視図
【図８】図７の断面図
【図９】チェーンガイド部の他の取り付け状態を示す斜視図
【図１０】図９の断面図
【図１１】カバー部の取り付け状態を示す断面図
【図１２】図１１の開閉状態を示す断面図
【図１３】カバーの他の取り付け状態を示す断面図
【図１４】図１３の開閉状態を示す断面図
【図１５】チェーンガイド部の連結状態を示し、搬送レールを正面より見た断面図
【００３５】
【符号の説明】
１・・・パチンコ島
２・・・パチンコ台
３・・・天板
４・・・搬送レール
５・・・灰皿
６・・・回収タンク
７・・・吸殻回収装置
８・・・落下穴
９・・・穴
１０・・・ビス
１１・・・連通穴
１２・・・チェーンコンベアー
１３・・・チェーン
１４・・・支持軸
１５・・・移送部材
１６・・・モーター
１７・・・天板の取り付け部
１８・・・吸殻の受け部
１９・・・チェーンガイド部
２０・・・凹部
２１・・・カバー部
２２・・・天板の取り付け部
２３・・・垂下壁箇所
２４・・・チェーンガイド部
２５・・・収容部
２６・・・搬送レール本体
２７・・・カバー部
２８・・・バー
２９・・・連結溝部
３０・・・凹部
３１・・・凸条
３２・・・上下外側面
３３・・・上下内側面
３４・・・ビス
３５・・・上端
３６・・・底面
３７・・・係止部
３８・・・受け部
３９・・・受け部
４０・・・スペーサー
４１・・・凹部
４２・・・上下内側面
４３・・・上下側側面
４４・・・ビス
４５・・・下方外側面
４６・・・凸条
４７・・・対応面
４８・・・溝部
４９・・・間隙
５０・・・スペーサー
５１・・・係止部
５２・・・受け部
５３・・・支点部
５４・・・スペーサー
５５・・・係止部
５６・・・受け部
５７・・・支点部
【図１】
2004033715.tif 000003
【図２】
2004033715.tif 000004
【図３】
2004033715.tif 000005
【図４】
2004033715.tif 000006
【図５】
2004033715.tif 000007
【図６】
2004033715.tif 000008
【図７】
2004033715.tif 000009
【図８】
2004033715.tif 000010
【図９】
2004033715.tif 000011
【図１０】
2004033715.tif 000012
【図１１】
2004033715.tif 000013
【図１２】
2004033715.tif 000014
【図１３】
2004033715.tif 000015
【図１４】
2004033715.tif 000016
【図１５】
2004033715.tif 000017